(57)【要約】【課題】審美性に富み、異物感を減少し、安定性を向上させ、操作性が良好な部分義歯を提供する。【解決手段】歯列欠損部１２に配置して義歯６ａ・７ａを固定する義歯床１３を、支台歯４・５に固定する支台冠４ａ・５ａに、連結部Ｂを介して装着する部分義歯１４であって、前記義歯床１３に、前記支台冠４ａ・５ａの周囲を囲むように前記支台冠４ａ・５ａの頬側と舌側とに延出する延出部Ａを形成した。連結部Ｂは、支台冠４ａ・５ａ又は義歯床１３のいずれか一方に取り付けられ、義歯床１３又は支台冠４ａ・５ａの方向に突出した係留突部２０と、支台冠４ａ・５ａ又は義歯床１３のいずれか他方に取り付けられ、係留突部２０を係留される係留溝を有する係留溝部３０と、を有する。【選択図】図１
2011092273.tif 000002
【特許請求の範囲】
【請求項１】
歯列欠損部に配置して義歯を固定する義歯床を、支台歯に固定する支台冠に、連結部を介して装着する部分義歯であって、
前記義歯床に、前記支台冠の周囲を囲むように前記支台冠の頬側と舌側とに延出する延出部を形成したことを特徴とする部分義歯。
【請求項２】
前記連結部は、
前記支台冠又は前記義歯床のいずれか一方に取り付けられ、前記義歯床又は前記支台冠の方向に突出した係留突部と、
前記支台冠又は前記義歯床のいずれか他方に取り付けられ、前記係留突部を係留される係留溝を有する係留溝部と、を有することを特徴とする請求項１に記載の部分義歯。
【発明の詳細な説明】
【技術分野】
【０００１】
本発明は、支台歯を利用して歯列欠損部に装着する部分義歯に関する。
【背景技術】
【０００２】
従来、義歯を固定する義歯床を、支台歯に固定する支台冠に、分離可能に連結して、歯列欠損部に装着する部分義歯が知られている。このような部分義歯には、義歯床と支台冠とが雌雄嵌合構造を持つ嵌合部において嵌合され、かつ結合部において分離可能に結合されている部分義歯があった（例えば、特許文献１参照）。
【先行技術文献】
【特許文献】
【０００３】
【特許文献１】特開２００３−１８０７１４号公報
【発明の概要】
【発明が解決しようとする課題】
【０００４】
しかしながら、上述の特許文献１に記載の部分義歯では、義歯床の頬側の一部から結合子が露出することになり、結合子が目立って、審美性を損なっていた。
また、結合子が舌、唇、頬粘膜等と接触し、使用者が異物感を感じるなど使用の快適性が得られない場合があった。
また、義歯床と支台冠とが嵌合部において嵌合されているが、義歯と支台冠との間には頬側と舌側に隙間が生じているため、隙間に食物残渣や粒状のものが入り込み、粘膜を傷つけたり、潰痛をつくったりするなど、義歯床と支台冠との一体性、密着性に問題があった。
また、義歯床と支台冠とを嵌合部の雌雄嵌合構造のみによって連結するため、これを指先で探って部分義歯を装着するのは困難な場合があり、使用者及び歯科医師による操作性の向上が求められていた。
【０００５】
本発明は、上記の如き問題点を鑑みてなされたものであり、審美性に富み、快適性に優れ、一体性、密着性を向上させ、操作性が良好な部分義歯を提供することを課題とする。
【課題を解決するための手段】
【０００６】
本発明の解決しようとする課題は以上の如くであり、次にこの課題を解決するための手段を説明する。
【０００７】
即ち、第１の発明は、歯列欠損部に配置して義歯を固定する義歯床を、支台歯に固定する支台冠に、連結部を介して装着する部分義歯であって、前記義歯床に、前記支台冠の周囲を囲むように前記支台冠の頬側と舌側とに延出する延出部を形成した、としたものである。
【０００８】
第２の発明は、第１の発明において、前記連結部は、前記支台冠又は前記義歯床のいずれか一方に取り付けられ、前記義歯床又は前記支台冠の方向に突出した係留突部と、前記支台冠又は前記義歯床のいずれか他方に取り付けられ、前記係留突部を係留される係留溝を有する係留溝部と、を有する、としたものである。
【発明の効果】
【０００９】
本発明の効果として、以下に示すような効果を奏する。
【００１０】
第１の発明によれば、義歯床の延出部が支台冠の周囲を囲むように支台冠の頬側と舌側に延出することになるので、金属部分が目立たず審美性に富んだものになり、使用者が異物感を感じず快適性に優れ、義歯床と支台冠との間に隙間が生じず一体性、密着性を向上させ、部分義歯を装着するのが容易になり操作性が良好になる。
【００１１】
第２の発明によれば、係留突部を係留溝部に係留することにより義歯床を支台冠に連結することになるので、義歯床の延出部を支台冠の周囲に合わせるように連結すれば、部分義歯を装着するのが更に容易になり操作性が良好になる。
【図面の簡単な説明】
【００１２】
【図１】本発明の第一実施形態に係る部分義歯及び支台冠を下顎に装着する状態を示す斜視図。
【図２】支台冠を支台歯に固定した状態を示す斜視図。
【図３】義歯床を支台冠に連結して部分義歯を歯列欠損部に装着した状態を示す斜視図。
【図４】支台歯に固定した状態の支台冠を示す正面図。
【図５】歯列欠損部に装着する前の部分義歯を示す正面図。
【図６】（Ａ）歯列欠損部に装着する前の部分義歯を示す平面図。（Ｂ）歯列欠損部に装着する前の部分義歯を示す裏面図。
【図７】義歯床を支台冠に連結した状態を示す平面図。
【図８】本発明の第二実施形態に係る義歯床の延出部を示す平面図。
【図９】本発明の第三実施形態に係る義歯床の延出部を示す平面図。
【図１０】本発明の第四実施形態に係る義歯床の延出部を示す平面図。
【発明を実施するための形態】
【００１３】
まず、本発明の第一実施形態に係る部分義歯１４の全体構成について、図１〜図３を用いて説明する。本実施形態では、部分義歯１４を下顎１１に装着する構成について説明する。なお、本発明に係る部分義歯１４は、これを装着する場所が下顎１１に限定されるものではなく、例えばこれを上顎に装着することも可能である。以下の説明では、図１〜図３中の矢印ａの方向を頬舌方向とし、矢印ｂの方向を歯列方向とする。
【００１４】
図１は、部分義歯１４及び支台冠４ａ・５ａを下顎１１に装着する状態を示している。
図１に示すように、部分義歯１４は、義歯床１３を支台冠４ａ・５ａに連結して、歯列欠損部１２に装着される。
【００１５】
下顎１１には、歯列の臼歯部に、健全な歯６・７が欠損した２本分の歯列欠損部１２がある。そこで、欠損した健全な歯６・７の代わりに義歯６ａ・７ａを配置するため、部分義歯１４が歯列欠損部１２に装着される。なお、本発明に係る部分義歯は、これを装着する場所が歯列欠損部１２に限定されるものではなく、健全な歯が欠損した所定の歯列欠損部に装着する。
【００１６】
部分義歯１４は、義歯６ａ・７ａと義歯床１３とを有する。義歯６ａ・７ａは、義歯床１３に植立して固定されている。義歯床１３は、歯肉類似型の合成樹脂により構成され、歯列欠損部１２の顎提上に配置される。
【００１７】
部分義歯１４は、歯列欠損部１２に隣接する健全な２本の歯４・５を支台歯４・５とし、部分義歯１４を支える基礎に利用する。具体的には、支台歯４・５に固定した支台冠４ａ・５ａに義歯床１３を連結する。これにより、部分義歯１４が歯列欠損部１２の顎提上を滑って移動するのを防ぐ。
【００１８】
義歯床１３は、義歯６ａの支台冠４ａ・５ａ側の端部を越えて支台冠４ａ・５ａの方向に延出している。ここで、義歯床１３の延出している部分を延出部Ａとする。
【００１９】
また、義歯床１３内部には、係留溝部３０が取り付けられている。係留溝部３０に係留突部２０を係留することにより、義歯床１３を支台冠４ａ・５ａに連結する。
【００２０】
支台冠４ａ・５ａは、金や銀の合金により構成され、内部が空洞になっており、支台歯４・５を修復して固定される。支台歯４・５は、支台冠４ａ・５ａの取り付けに適合した形状に切削されている。
【００２１】
ここで、支台冠４ａ・５ａの取り付けに適合した形状とは、支台冠４ａ・５ａの内面形状と一致する外面形状、又は同内面形状より小さい外面形状をいう。具体的には、支台冠４ａ・５ａの内面形状は円錐台状であるため、支台歯４・５は、支台冠４ａ・５ａの内面形状と略同一又は少し小さい円錐台状に切削されている。なお、支台冠４ａ・５ａの内面形状及び支台歯４・５の外面形状は、円柱状などの他の形状でもよい。
【００２２】
歯列欠損部１２側の支台冠５ａには、係留突部２０が取り付けられている。係留突部２０を係留溝部３０に係留することにより、義歯床１３を支台冠４ａ・５ａに連結する。
【００２３】
図２は、図1に示す状態の後、支台冠４ａ・５ａを支台歯４・５に固定した状態を示している。
図２に示すように、支台冠４ａ・５ａは、支台歯４・５を修復した状態で、セメント等により支台歯４・５に固定される。支台冠４ａ・５ａが支台歯４・５に密着して固定されることにより、支台冠４ａ・５ａが部分義歯１４を支える基礎となり、部分義歯１４が食事中にぐらつかないように安定させる。支台冠４ａ・５ａを支台歯４・５に固定した後で、義歯床１３を支台冠４ａ・５ａに連結する。
【００２４】
図３は、図２に示す状態の後、義歯床１３を支台冠４ａ・５ａに連結して、部分義歯１４を歯列欠損部１２に装着した状態を示している。
図３に示すように、支台冠４ａ・５ａに取り付けられて下顎１１に固定されている係留突部２０に対して、義歯床１３の係留溝部３０の係留溝が係留突部２０に係留されるように、義歯床１３を上方から下方にスライドさせて、義歯床１３を支台冠４ａ・５ａに連結する。ここで、係留突部２０及び係留溝部３０を連結部Ｂとする。
また、義歯床１３の延出部Ａは、義歯床１３が支台冠４ａ・５ａに連結されたとき、支台冠５ａの周囲を囲むように、支台冠５ａの頬側と舌側に延出している。
【００２５】
次に、義歯床１３の延出部Ａ、及び義歯床１３と支台冠４ａ・５ａとの連結部Ｂの構成について、図４〜図７を用いて説明する。
【００２６】
図４は、支台歯４・５に固定した状態の支台冠４ａ・５ａを、遠心Ｆ側（奥側）から見た正面図である。
ここで、遠心とは、左右の中切歯（前歯）の接触点から遠ざかる方向をいう。逆に、近心とは、左右の中切歯（前歯）の接触点に近づく方向をいう。図４〜図７において、同図中の矢印ｂのＦ方向を遠心方向とし、Ｎ方向を近心方向とする。
図４に示すように、支台冠４ａ・５ａには、基台部２１、係留突部２０が取り付けられている。
【００２７】
支台冠４ａ・５ａは、支台歯４・５に固定されることにより、下顎１１に装着されている。支台冠４ａの遠心Ｆ側の面（歯列欠損部１２に隣接する面）には、支台冠４ａ・５ａと同様に金や銀の合金により構成された矩形の基台部２１が取り付けられている。基台部２１には、遠心Ｆ方向（歯列欠損部１２の方向）に突出した平面視Ｙ字状で上下に縦長の係留突部２０が取り付けられている。係留突部２０の外面形状は、係留溝部３０の係留溝の形状と略同一に構成されている。
【００２８】
図５及び図６は、歯列欠損部１２に装着する前の部分義歯１４を示す図である。
図５は、近心Ｎ側（手前側）から見た部分義歯１４の正面図である。
図６（Ａ）は、部分義歯１４の平面図であり、図６（Ｂ）は部分義歯１４の裏面図である。
図５及び図６に示すように、部分義歯１４は、義歯６ａ・７ａ、義歯床１３を有し、基台部３１、係留溝部３０が取り付けられている。
【００２９】
義歯６ａ・７ａは、義歯床１３に植立して固定されており、欠損した健全な歯６・７の代わりとして機能する。義歯床１３は、歯列欠損部１２の顎提上に配置されて義歯６ａ・７ａを固定し、食事中にぐらつかないように安定させる。また、義歯床１３には、義歯６ａの近心Ｎ側の端部を越えて近心Ｎ方向に延出する延出部Ａが形成されており、義歯床１３が支台冠４ａ・５ａに連結されたとき、延出部Ａは、支台冠５ａの周囲を囲む。
【００３０】
図６（Ｂ）に示すように、合成樹脂により構成された義歯床１３の裏面内部には、係留溝部３０を固定するための基台部３１が埋め込まれて一体化されている。基台部３１は、金や銀の合金により構成されており、基台部３１の近心Ｎ側の端部には、係留溝部３０を取り付けるための埋入孔３２が設けられている。
【００３１】
基台部３１の埋入孔３２に、上部が義歯床１３及び義歯６ａの内部に埋入する形態で、係留溝部３０が埋め込まれ、係留溝部３０と埋入孔３２との密着性により義歯床１３に固定されている。係留溝部３０は、合成樹脂により構成されており、係留溝部３０には、平面視Ｙ字状で、上下方向に縦長の係留溝が設けられている。係留溝部３０は、近心Ｎ側から見ると、上下方向に縦長の矩形状に開放されている。係留溝部３０の係留溝の形状は、係留突部２０の外面形状と略同一に構成されている。
【００３２】
図７は、連結した状態の義歯床１３及び支台冠４ａ・５ａの平面図である。
図７に示すように、義歯床１３の延出部Ａは、義歯６ａの近心Ｎ側（支台冠４ａ・５ａ側）の端部を越えて近心Ｎ方向（支台冠４ａ・５ａの方向）に延出している。具体的には、延出部Ａは、支台冠５ａの周囲を囲むように支台冠５ａの頬側と舌側とに延出している。このため、延出部Ａが、義歯床１３と支台冠４ａ・５ａとの連結部Ｂを覆い隠すことができる。これにより、咬合面から金属部分が目立たなくなり、審美性を向上させることができる。
【００３３】
また、歯肉類似型の合成樹脂により構成される延出部Ａは、金属により構成される連結部Ｂを、頬下方向、歯列方向、上下方向の全方向から覆っている。このため、連結部Ｂが舌、唇、頬粘膜等と接触し、使用者が異物感を感じることがなくなる。これにより、使用者が使用の快適性を得ることができる。また、金属部分の破損の危険性が解消される。
【００３４】
また、延出部Ａは、義歯床１３と支台冠４ａ・５ａとが連結されると、義歯６ａと支台冠５ａとの間を、頬側及び舌側の両側から隙間なく覆うことになる。このため、義歯６ａと支台冠５ａとの隙間に食物残渣や粒状のものが入り込み、粘膜を傷つけたり、潰痛をつくったりすることがなくなる。これにより、義歯床１３と支台冠４ａ・５ａとの一体性、密着性を向上させることができる。
【００３５】
また、延出部Ａは、支台冠５ａの周囲の形状と略同一の形状に形成されている。このため、連結部Ｂのみを目安に連結しようとしなくても、義歯床１３の延出部Ａの形状を大まかな目安として、義歯床１３の延出部Ａを支台冠５ａの周囲に合わせるように連結させれば、連結部Ｂの連結操作が容易になる。これにより、使用者及び歯科医師による操作性を向上させることができる。
【００３６】
また、延出部Ａは、支台冠５ａの周囲を囲むことによって、義歯床１３が支台冠４ａ・５ａに固定されるのをサポートしている。これにより、連結部Ｂによる連結のみで固定される場合に比べ、義歯床１３と支台冠４ａ・５ａとの連結における安定性を向上させ、ぐらつきによる噛み辛さを解消することができる。また、咀嚼機能の維持力が向上される。
【００３７】
なお、本実施形態では、延出部Ａは、義歯６ａに隣接する支台冠５ａの周囲を全部囲む長さであるが、延出部Ａの長さはこれに限定されない。延出部Ａは、義歯６ａの支台冠４ａ・５ａ側の端部を越えて支台冠４ａ・５ａの方向に延出していればよく、具体的には支台冠５ａの周囲を一部でも囲む長さであればよい。逆に、支台冠５ａを全部囲むだけでなく、支台冠４ａをも全部又は一部囲む長さであってもよい。
【００３８】
また、延出部Ａは、頬側と舌側が略同一の長さである必要はない。例えば、頬側の延出部Ａが支台冠５ａの周囲を全部囲む長さであって、舌側の延出部Ａが支台冠５ａの周囲を半分を越えて囲む長さであってもよい。また、延出部Ａは、義歯床１３の近心Ｎ側のみに設けられるとは限定されず、遠心Ｆ側のみに設けられてもよく、また近心Ｎ側・遠心Ｆ側の両側に設けられてもよい。
【００３９】
図７に示すように、連結部Ｂは、支台冠４ａ・５ａに取り付けられた係留突部２０と、義歯床１３に取り付けられた係留溝部３０と、を有する。連結部Ｂは、係留突部２０を係留溝部３０の係留溝に係留することにより、前記義歯床１３を前記支台冠４ａ・５ａに連結する。
【００４０】
具体的には、支台冠４ａ・５ａに取り付けられて下顎１１に固定されている係留突部２０に対して、義歯床１３の係留溝部３０の係留溝が係留突部２０に係留されるように、義歯床１３を上方から下方にスライドさせて、義歯床１３を支台冠４ａ・５ａに連結する。
【００４１】
係留溝部３０は合成樹脂により構成されており、係留溝部３０に係留溝が設けられていることにより、係留溝部３０自体が開閉に弾力性を具備しており、係留突部２０が係留する際に伸び縮みできるように構成されている。これにより、係留溝部３０と係留突部２０との密着性が良好になっている。
【００４２】
なお、連結部Ｂは、係留突部２０が支台冠４ａ・５ａに取り付けられ、係留溝部３０が義歯床１３に取り付けられる構成のみに限定されず、逆に、係留突部２０が義歯床１３に取り付けられ、係留溝部３０が支台冠４ａ・５ａに取り付けられるとしてもよい。
この場合、支台冠４ａ・５ａに取り付けられて下顎１１に固定されている係留溝部３０に対して、義歯床１３の係留突部２０が係留溝部３０の係留溝に係留するように、義歯床１３を上方から下方にスライドさせて、義歯床１３を支台冠４ａ・５ａに連結する。
【００４３】
また、部分義歯１４を上顎に装着する場合には、同様に、支台冠４ａ・５ａに取り付けられて上顎に固定されている係留突部２０（又は係留溝部３０）に対して、義歯床１３の係留溝部３０の係留溝（又は係留突部２０）が係留突部２０（又は係留溝部３０の係留溝）に係留するように、義歯床１３を下方から上方にスライドさせて、義歯床１３を支台冠４ａ・５ａに連結する。
【００４４】
このように構成することにより、義歯床１３の延出部Ａを支台冠４ａ・５ａの周囲に合わせて上方から下方に動かすのと同時に、係留溝部３０の係留溝（又は係留突部２０）を係留突部２０（又は係留溝部３０の係留溝）に対して上方から下方に（又は下方から上方に）スライドさせて係留することが可能になり、部分義歯を装着するのが更に容易になり操作性が良好になる。
【００４５】
次に、本発明の第二実施形態、第三実施形態、第四実施形態に係る義歯床１３の延出部Ａ２、Ａ３、Ａ４の構成について、図８、図９、図１０を用いて説明する。ただし、第一実施形態の構成の部材と同一の部材については同一の符号を付し、第一実施形態の構成と異なる部分を中心に説明する。
【００４６】
図８に示すように、本発明の第二実施形態に係る義歯床１３の延出部Ａ２は、支台冠５ａにおける頬舌方向の最大幅ａ１を越えて近心Ｎ方向に延出し、支台冠５ａの周囲を囲むように支台冠５ａの頬側と舌側とに延出している。
延出部Ａ２が、支台冠５ａにおける頬舌方向の最大幅ａ１を越えて近心Ｎ方向に延出することにより、支台冠５ａの周囲を半分以上囲んでいる。
【００４７】
このように構成することにより、延出部Ａ２の長さが第一実施形態の延出部Ａ１に比べて短くなるが、支台冠５ａにおける頬舌方向の最大幅ａ１を越えて延出しているため、第一実施形態ほどではなくても、第一実施形態に近い程度で義歯床１３と支台冠４ａ・５ａとの連結における安定性を向上させる。さらに、延出部Ａ２の長さが第一実施形態の延出部Ａ１に比べて短くなるため、義歯床１３の量を減らすことができ、異物感がさらに軽減され、義歯床１３を製作するのが容易になる。
【００４８】
図９に示すように、本発明の第三実施形態に係る義歯床１３の延出部Ａ３は、支台冠４ａにおける頬舌方向の最大幅ａ２を越えて近心Ｎ方向に延出し、支台冠５ａ及び４ａの周囲を囲むように支台冠５ａ及び４ａの頬側と舌側とに延出している。
延出部Ａ３が、支台冠４ａにおける頬舌方向の最大幅ａ２を越えて近心Ｎ方向に延出することにより、支台冠５ａの周囲を全部囲んでおり、さらに、支台冠４ａの周囲をも半分以上囲んでいる。
【００４９】
このように構成することにより、延出部Ａ３の長さが第一実施形態の延出部Ａ１に比べて長くなり、支台冠４ａにおける頬舌方向の最大幅ａ２を越えて延出しているため、第一実施形態以上に、義歯床１３と支台冠４ａ・５ａとの連結における安定性を向上させる。さらに、延出部Ａ３の長さが第一実施形態の延出部Ａ１に比べて長くなり、支台冠５ａだけでなく４ａの周囲をも囲むことになるため、支台冠４ａ・５ａとの間にも隙間が生じず義歯床１３と支台冠４ａ・５ａとの一体性、密着性をさらに向上させる。
【００５０】
図１０に示すように、本発明の第四実施形態に係る部分義歯１４では、義歯５ａ・６ａを固定する義歯床１３を、近心Ｎ側・遠心Ｆ側の両側で隣接する支台冠４ａ・７ａに連結部Ｂ・Ｂにおいて連結する。
義歯床１３は、義歯５ａの近心Ｎ側の端部を越えて近心Ｎ方向に延出する延出部Ａ４と、義歯６ａの遠心Ｆ側の端部を越えて遠心Ｆ方向に延出する延出部Ａ５とを有する。延出部Ａ４は、支台冠４ａの周囲を囲むように支台冠４ａの頬側と舌側とに延出しており、延出部Ａ５は、支台冠７ａの周囲を囲むように支台冠７ａの頬側と舌側とに延出している。
【００５１】
このように構成することにより、第一実施形態と同様に近心Ｎ側に延出部Ａ４が設けられるのみでなく、遠心Ｆ側に延出部Ａ５も設けられ、近心Ｎ側・遠心Ｆ側の両側に延出部Ａ４・Ａ５が設けられるため、第一実施形態以上に、義歯床１３と支台冠４ａ・７ａとの連結における安定性を向上させる。また、近心Ｎ側・遠心Ｆ側の両側の支台冠４ａ・７ａの周囲を囲むことになるため、義歯床１３と支台冠４ａとの間、義歯床１３と支台冠７ａとの間に隙間が生じず、義歯床１３と支台冠４ａ・７ａとの一体性、密着性をさらに向上させる。さらに、義歯床１３の近心Ｎ側・遠心Ｆ側の両側の延出部Ａ４・Ａ５を支台冠４ａ・７ａの周囲に合わせるように連結させれば、連結部Ｂの連結操作がさらに容易になる。
【符号の説明】
【００５２】
４・５  支台歯
４ａ・５ａ  支台冠
６ａ・７ａ  義歯
１２  歯列欠損部
１３  義歯床
１４  部分義歯
２０  係留突部
３０  係留溝部
Ａ  延出部
Ｂ  連結部
【図１】
2011092273.tif 000003
【図２】
2011092273.tif 000004
【図３】
2011092273.tif 000005
【図４】
2011092273.tif 000006
【図５】
2011092273.tif 000007
【図６】
2011092273.tif 000008
【図７】
2011092273.tif 000009
【図８】
2011092273.tif 000010
【図９】
2011092273.tif 000011
【図１０】
2011092273.tif 000012